(57)【要約】      （修正有）【課題】各表示画像の視野角を精度良く変更させることが可能な画像表示装置を提供する。【解決手段】画像表示装置は、複数のサブ画素が配列された単位表示領域を含み、隣接する複数の単位表示領域では複数の画素が配列されてなり、複数の画素からの光の各々を異なる方向に分離することで、隣接する複数の単位画素表示領域に表示される複数の画像の各々を異なる方向から視認可能な装置である。複数の画素の各々は、１つの又は複数の群のいずれかの群に属している。画像表示装置は、画像信号供給手段と、選択手段と、を具備してなる。画像信号供給手段は、同一の群に属する画素には同一の画像信号を、異なる群に属する画素には各々独立した画像信号を供給する。選択手段は、群の数、或いは各群に含ませる画素の数を選択する。これにより、画像表示装置の構成自体に変更を加えることなく、各表示画像の視野角を精度良く変更することができる。【選択図】図７
2010020178.tif 000002
【特許請求の範囲】
【請求項１】
複数のサブ画素が配列された単位表示領域を含み、隣接する複数の単位表示領域では複数の画素が配列されてなり、前記複数の画素からの光の各々を異なる方向に分離することで、前記隣接する複数の単位画素表示領域に表示される複数の画像の各々を異なる方向から視認可能な画像表示装置において、
前記複数の画素の各々は、１つの又は複数の群のいずれかの群に属しており、
同一の群に属する画素には同一の画像信号を、異なる群に属する画素には各々独立した画像信号を供給する画像信号供給手段と、
前記群の数、或いは各群に含ませる画素の数を選択する選択手段と、を具備してなることを特徴とする画像表示装置。
【請求項２】
前記画素は、各々色が異なる複数のサブ画素により構成されてなることを特徴とする請求項１に記載の画像表示装置。
【請求項３】
前記複数の画素からの光の各々を異なる方向に分離する光分離素子を備えてなることを特徴とする請求項１又は２に記載の画像表示装置。
【請求項４】
前記選択手段は、前記各群に含ませる画素の数を互いに異ならせることを特徴とする請求項１乃至３のいずれか一項に記載の画像表示装置。
【請求項５】
前記画像信号供給手段は、画像信号中の右目用の画像信号と左目用の画像信号とをそれぞれ、前記複数の画素に、前記群毎に交互に供給することを特徴とする請求項１乃至４のいずれか一項に記載の画像表示装置。
【請求項６】
前記単位表示領域における複数のサブ画素の配列方向と垂直な方向で隣接する前記単位表示領域は、前記サブ画素の配列方向に互いにずらされて設定されていることを特徴とする請求項１乃至５のいずれか一項に記載の画像表示装置。
【請求項７】
前記光分離素子は、複数のスリットが形成された視差バリアであり、
前記複数のスリットは、前記サブ画素の配列方向と垂直な方向に対し、前記単位表示領域のずれの分だけ、斜め方向に延在するように前記視差バリアに形成されていることを特徴とする請求項６に記載の画像表示装置。
【請求項８】
前記光分離素子は、複数のレンズパターンが形成されたレンチキュラレンズであり、
前記複数のレンズパターンは、前記サブ画素の配列方向と垂直な方向に対し、前記単位表示領域のずれの分だけ、斜め方向に延在するように前記レンチキュラレンズに形成されていることを特徴とする請求項６に記載の画像表示装置。
【請求項９】
請求項１乃至８のいずれか一項に記載の画像表示装置を表示部として備えることを特徴とする電子機器。
【請求項１０】
複数のサブ画素が配列された単位表示領域を含み、隣接する複数の単位表示領域では複数の画素が配列されてなり、前記複数の画素からの光の各々を異なる方向に分離することで、前記隣接する複数の単位画素表示領域に表示される複数の画像の各々を異なる方向から視認可能な画像表示方法であって、
前記複数の画素の各々を１つの又は複数の群のいずれかの群に属させ、同一の群に属する画素には同一の画像信号を、異なる群に属する画素には各々独立した画像信号を供給する画像信号供給するステップと、
同一の群に属する画素には同一の画像信号を、異なる群に属する画素には各々独立した画像信号を供給するステップと、
前記群の数、或いは各群に含ませる画素の数を選択する選択するステップと、を具備してなることを特徴とする画像表示方法。
【請求項１１】
複数のサブ画素が配列された単位表示領域を含み、隣接する複数の単位表示領域では複数の画素が配列されてなり、前記複数の画素からの光の各々を異なる方向に分離することで、前記隣接する複数の単位画素表示領域に表示される複数の画像の各々を異なる方向から視認可能な画像表示装置を制御する制御部で実行される画像表示プログラムであって、
前記複数の画素の各々を１つの又は複数の群のいずれかの群に属させ、同一の群に属する画素には同一の画像信号を、異なる群に属する画素には各々独立した画像信号を供給する画像信号供給手段、
同一の群に属する画素には同一の画像信号を、異なる群に属する画素には各々独立した画像信号を供給する画像信号供給手段、
前記群の数、或いは各群に含ませる画素の数を選択する選択手段、として前記制御部を機能させることを特徴とする画像表示プログラム。
【発明の詳細な説明】
【技術分野】
【０００１】
本発明は、各種情報の表示に用いて好適な画像表示装置、画像表示方法及び画像表示プログラムに関する。
【背景技術】
【０００２】
画像表示装置の例として、異なる観察位置に位置する観察者に異なる画像を提示する２画面表示装置や３次元の立体画像を表示する立体画像表示装置が知られている。このような画像表示装置の方式としては、例えば、特許文献１に示すような視差バリア（パララックスバリア）を用いた方式の画像表示装置や、特許文献２に示すようなレンチキュラレンズを用いた方式の画像表示装置がある。
【０００３】
【特許文献１】特許第３５０３９２５号公報
【特許文献２】特開２００５−７８０７８号公報
【発明の開示】
【発明が解決しようとする課題】
【０００４】
ところで、上記の画像表示装置は、車のナビゲーションシステムとして搭載されることが多い。この場合、画像表示装置は、２画面表示装置として機能し、例えば、運転席側から見るとナビゲーション画像が見えるように表示され、助手席側から見るとＤＶＤやテレビの画像が見えるように表示される。しかしながら、この場合、運転席側の後部座席から見るとナビゲーション画像しか見えず、また、後部座席の真ん中から見ると、ＤＶＤやテレビの画像とナビゲーション画像とが混在しているように見えてしまう。
【０００５】
このような問題を解消するため、上記の画像表示装置では、表示される各表示画像の視野角を変更可能にすることが求められている。特許文献１では、視差バリアを移動制御することにより各画像の視野角を変更しているが、この方法では、視差バリアの位置がずれると正常な表示が出来なくなる恐れがある。また、特許文献２では、２枚のレンチキュラレンズを使用して、レンズの距離を変更することによって視野角を変更しているものの、この場合には、視野角を拡大、縮小することはできるものの、左右不均等にすることは難しい。
【０００６】
本発明は、以上の点に鑑みてなされたものであり、複数の観察者に対して夫々異なる平面画像もしくは立体画像を同時に観察させることが可能な画像表示において、各表示画像の視野角を精度良く変更させることが可能な画像表示装置を提供することを課題とする。
【課題を解決するための手段】
【０００７】
本発明の１つの観点では、複数のサブ画素が配列された単位表示領域を含み、隣接する複数の単位表示領域では複数の画素が配列されてなり、前記複数の画素からの光の各々を異なる方向に分離することで、前記隣接する複数の単位画素表示領域に表示される複数の画像の各々を異なる方向から視認可能な画像表示装置において、前記複数の画素の各々は、１つの又は複数の群のいずれかの群に属しており、同一の群に属する画素には同一の画像信号を、異なる群に属する画素には各々独立した画像信号を供給する画像信号供給手段と、前記群の数、或いは各群に含ませる画素の数を選択する選択手段と、を具備してなる。
【０００８】
上記の画像表示装置は、複数のサブ画素が配列された単位表示領域を含み、隣接する複数の単位表示領域では複数のサブ画素が配列されてなり、前記複数の画素からの光の各々を異なる方向に分離することで、前記隣接する複数の単位画素表示領域に表示される複数の画像の各々を異なる方向から視認可能な装置であり、前記複数の画素の各々は、１つの又は複数の群のいずれかの群に属している。ここで、群とは、同一の画像信号（画像データ）を表示する複数の画素の集団を示す。画像表示装置は、画像信号供給手段と、選択手段と、を具備してなる。これらは、例えば、ＣＰＵ（Ｃｅｎｔｒａｌ  Ｐｒｏｃｅｓｓｉｎｇ  Ｕｎｉｔ）などを備えた制御部により実現される。画像信号供給手段は、同一の群に属する画素には同一の画像信号を、異なる群に属する画素には各々独立した画像信号を供給する。選択手段は、前記群の数、或いは各群に含ませる画素の数を選択する。ここで、群の数は視点の数に相当する。例えば選択手段により３つの群が選択された場合、各群に対してそれぞれ異なる画像信号が供給される。よって、３つの視点からそれぞれ異なる画像を見ることができる。また、群の数は選択手段を通じたユーザの選択により変更することができる。よって、ユーザが観察者の数に応じて視点数を選択すれば、各観察者はそれぞれ異なる画像を見ることができる。
【０００９】
このようにすることで、画像表示装置の構成自体に変更を加えることなく、各表示画像の視野角を精度良く変更することができ、視点数を変化させ画面表示を任意に変更でき複数の観察者に対して夫々異なる平面画像もしくは立体画像を同時に観察させることが可能となる。なお、前記複数の画素は、各々色が異なる複数のサブ画素、例えばＲＧＢの各色のサブ画素により構成されてなる。
【００１０】
上記の画像表示装置の好適な実施例は、前記複数の画素からの光の各々を異なる方向に分離する光分離素子を備えてなる。
【００１１】
上記の画像表示装置の他の一態様では、前記選択手段は、前記各群に含ませる画素の数を互いに異ならせる。これにより各表示画像の視野角を互いに異ならせることができる。
【００１２】
上記の画像表示装置の他の一態様は、前記選択手段は、前記画像信号中の右目用の画像信号と左目用の画像信号とをそれぞれ前記複数の画素に前記群毎に交互に供給する。これにより立体画像を表示することができる。
【００１３】
上記の画像表示装置の他の一態様では、前記単位表示領域における複数のサブ画素の配列方向と垂直な方向で隣接する前記単位表示領域は、前記サブ画素の配列方向に互いにずらされて設定されている。これにより、前記サブ画素の配列方向における解像度の劣化感を抑えることができる。
【００１４】
上記の画像表示装置の好適な実施例では、前記光分離素子は、複数のスリットが形成された視差バリアであり、前記複数のスリットは、前記サブ画素の配列方向と垂直な方向に対し、前記単位表示領域のずれの分だけ、斜め方向に延在するように前記視差バリアに形成されている。
【００１５】
上記の画像表示装置の好適な実施例は、前記光分離素子は、複数のレンズパターンが形成されたレンチキュラレンズであり、前記複数のレンズパターンは、前記サブ画素の配列方向と垂直な方向に対し、前記単位表示領域のずれの分だけ、斜め方向に延在するように前記レンチキュラレンズに形成されている。
【００１６】
本発明の他の観点では、上記の液晶装置を表示部として備える電子機器を構成することができる。
【００１７】
本発明の更なる他の観点では、複数のサブ画素が配列された単位表示領域を含み、隣接する複数の単位表示領域では複数の画素が配列されてなり、前記複数の画素からの光の各々を異なる方向に分離することで、前記隣接する複数の単位画素表示領域に表示される複数の画像の各々を異なる方向から視認可能な画像表示方法において、前記複数の画素の各々を１つの又は複数の群のいずれかの群に属させ、同一の群に属する画素には同一の画像信号を、異なる群に属する画素には各々独立した画像信号を供給する画像信号供給するステップと、前記群の数、或いは各群に含ませる画素の数を選択する選択するステップと、を具備してなる。この方法によっても、画像表示装置の構成自体に変更を加えることなく、各表示画像の視野角を精度良く変更することができる。
【００１８】
本発明の更なる他の観点では、複数のサブ画素が配列された単位表示領域を含み、隣接する複数の単位表示領域では複数の画素が配列されてなり、前記複数の画素からの光の各々を異なる方向に分離することで、前記隣接する複数の単位画素表示領域に表示される複数の画像の各々を異なる方向から視認可能な画像表示装置を制御する制御部で実行される画像表示プログラムにおいて、前記複数の画素の各々を１つの又は複数の群のいずれかの群に属させ、同一の群に属する画素には同一の画像信号を、異なる群に属するサブ画素には各々独立した画像信号を供給する画像信号供給手段、前記群の数、或いは各群に含ませる画素の数を選択する選択手段、として前記制御部を機能させる。このプログラムによっても、画像表示装置の構成自体に変更を加えることなく、各表示画像の視野角を精度良く変更することができる。
【発明を実施するための最良の形態】
【００１９】
以下、本発明を具体化した実施形態を図面に基づいて説明する。
【００２０】
[画像表示装置]
図１は、本実施形態に係る画像表示装置１００の断面図である。本実施形態に係る画像表示装置１００は、視差バリア方式の画像表示装置であり、互いに異なる観察位置に位置する複数の観察点１１ｓ１〜１１ｓ８に対し、それぞれ異なる画像を表示する画面表示を行うことができる。
【００２１】
図１に示すように、本実施形態に係る画像表示装置１００は、主に、視差バリア９と、液晶パネル２０と、照明装置１０と、より構成される。
【００２２】
液晶パネル２０は、基板１、２がシール材３を介して貼り合わされてなる構造を有し、基板１、２の間には、液晶４が封入されてなる。基板１の内面上には、各サブ画素ＳＧ１〜ＳＧ８毎に画素電極５が形成されており、基板２の内面上には、カラーフィルタたるＲＧＢの各色の着色層６及び対向電極７が形成されている。ＲＧＢの各色の着色層６は、画素電極５に対応する位置に形成され、対向電極７は、基板２の全面に形成されている。図１では、ＲＧＢの各色の着色層６をそれぞれ、「Ｒ」、「Ｇ」、「Ｂ」として示している。
【００２３】
液晶パネル２０の背面側には、照明装置１０が設置される。照明装置１０は、液晶パネル２０に光を透過することにより照明する。なお、液晶パネル２０と照明装置１０の間には、下偏光板１２ｂが配置される。
【００２４】
液晶パネル２０の光の出射面側には、視差バリア９が配置される。視差バリア９には、所定の間隔で複数のスリット９Ｓが形成されている。視差バリア９は、スリット９Ｓの設けられている部分のみが光を透過する透過領域として機能し、それ以外の部分は光を透過しない遮光領域として機能する。スリット９Ｓは、液晶パネル２０における隣接する着色層６又は画素電極５の間に対応して位置するように、具体的には、サブ画素ＳＧ４とサブ画素ＳＧ５との間に対応して位置するように視差バリア９に形成されている。視差バリア９の光の出射面側には、上偏光板１２ａが配置されている。
【００２５】
照明装置１０より出射した光は、液晶パネル２０に入射し、着色層６を透過した後、液晶パネル２０より出射する。液晶パネル２０より出射した光は、スリット９Ｓを通して、異なる観察位置に位置する複数の観察点１１ｓ１〜１１ｓ８に到達する。具体的には、液晶パネル２０のサブ画素ＳＧ１より出射した光は、スリット９Ｓを通して、観察点１１ｓ１に到達し、液晶パネル２０のサブ画素ＳＧ２より出射した光は、スリット９Ｓを通して、観察点１１ｓ２に到達する。同様にして、液晶パネル２０のサブ画素ＳＧ３〜ＳＧ８より出射した光はそれぞれ、スリット９Ｓを通して、観察点１１ｓ３〜１１ｓ８に到達する。スリット９Ｓがサブ画素ＳＧ４とサブ画素ＳＧ５との間に対応して位置するように、視差バリア９を液晶パネル２０に対して配置することにより、サブ画素ＳＧ１〜ＳＧ８より出射した光がそれぞれ、観察点１１ｓ３〜１１ｓ８に到達する。隣接する他のスリット９Ｓについても同様に、サブ画素ＳＧ４とサブ画素ＳＧ５との間に対応して位置するように視差バリア９を液晶パネル２０に対して配置することにより、サブ画素ＳＧ１〜ＳＧ８より出射した光がそれぞれ、観察点１１ｓ３〜１１ｓ８に到達する。複数のスリット９Ｓのそれぞれを通して、サブ画素ＳＧ１〜ＳＧ８からの光が結集することにより、観察点１１ｓ１〜１１ｓ８に対しそれぞれ、表示すべき画像が表示される。
【００２６】
このように、１つのスリット９Ｓによって互いに異なる方向へ進む光として分離されるサブ画素ＳＧの領域、即ち、ここでは、サブ画素ＳＧ１〜ＳＧ８の領域を、以下では「単位表示領域」として示すこととする。
【００２７】
図２は、画像表示装置１００における液晶パネル２０の平面図、具体的には画像が表示される表示領域を示している。図１に示した画像表示装置１００における液晶パネル２０は、図２に示す液晶パネル２０の平面図の切断線Ａ−Ａ´に沿った断面図である。図２においても、ＲＧＢの各色の着色層６をそれぞれ、「Ｒ」、「Ｇ」、「Ｂ」として示している。図２では、スリット９Ｓを太枠実線で示し、単位表示領域に対応する領域を一点鎖線で示している。また、図２では、単位表示領域におけるサブ画素ＳＧ１〜ＳＧ８の配列方向をＸ方向とし、Ｘ方向に垂直な方向をＹ方向としている。
【００２８】
本実施形態に係る画像表示装置１００では、図２に示すように、互いに隣接する行にある単位表示領域は、Ｘ方向、つまりサブ画素の配列方向に１列分、つまり１サブ画素分ずらされて設定される。従って、３行分の単位表示領域で見ると、各サブ画素ＳＧ１〜ＳＧ８毎に、ＲＧＢの各色のサブ画素が存在することとなる。
【００２９】
ＲＧＢの各色のサブ画素の集合が１つの画素（カラー画素）を構成する。図２においては画素ｐ１〜Ｐ８が図示されている。具体的に、画素ｐ１はＲＧＢの各色のサブ画素ＳＧ１により構成され、画素ｐ２はＲＧＢの各色のサブ画素ＳＧ２により構成される。同様に、画素ｐ３〜ｐ８は、それぞれＲＧＢの各色のサブ画素ＳＧ３〜ＳＧ８により構成される。
【００３０】
次に、スリット９Ｓの形状について説明する。視差バリア９は、単位表示領域の中央にスリット９Ｓが位置するように、より具体的にはサブ画素ＳＧ４とサブ画素ＳＧ５との間に対応する位置にスリット９Ｓが位置するように配置される。ここで、互いに隣接する行にある単位表示領域は互いに１サブ画素分ずらされて設定されているので、互いに隣接する行にあるサブ画素ＳＧ４、ＳＧ５も互いに１サブ画素分ずらされることとなる。従って、図２に示すように、スリット９Ｓは、サブ画素ＳＧ４、ＳＧ５のずれの分（単位表示領域のずれの分）だけ、即ち１サブ画素分だけＸ方向に傾斜するように、視差バリア９に形成される。
【００３１】
なお、スリット９Ｓの傾斜方向は、Ｘ方向にには限られない。要は、スリット９Ｓの傾斜方向は、互いに隣接する単位表示領域のずれの方向と同じ方向となる。例えば、互いに隣接する単位表示領域のずれの方向が図２にＹ方向にずれた場合には、スリット９Ｓの傾斜方向もＹ方向となる。
【００３２】
複数の観察点１１ｓ１〜１１ｓ８に対しそれぞれ異なった画像を表示する場合、各画像データは、画素ｐ１〜ｐ８の単位で表示される。後に詳しく述べるが、例えば、観察点１１ｓ１に表示される画像は、画素ｐ１に含まれるＲＧＢの各色のサブ画素ＳＧ１に供給される画像データにより構成され、観察点１１ｓ２に表示される画像は、画素ｐ２に含まれるＲＧＢの各色のサブ画素ＳＧ２に供給される画像データにより構成される。同様に、観察点１１ｓ３〜１１ｓ８に表示される画像は、それぞれ画素ｐ３〜ｐ８に含まれるＲＧＢの各色のサブ画素ＳＧ３〜ＳＧ８に供給される画像データにより構成される。
【００３３】
スリット９Ｓは単位表示領域の中央に位置するように視差バリア９に形成されており、かつ、単位表示領域は隣接する行において１サブ画素分ずつずれて配置されているため、スリット９Ｓはどの行においても、サブ画素ＳＧ４とサブ画素ＳＧ５との間に対応する位置にくることとなる。従って、本実施形態に係る画像表示装置１００は、観察点１１ｓ１〜１１ｓ８に対し、スリット９Ｓを介して、各画素ｐ１〜ｐ８をそれぞれ１画素として表示することが可能となる。即ち、観察点１１ｓ１〜１１ｓ８に対し、それぞれに表示すべき画像データが供給され画素を表示することが可能となる。なお、同一の画像データが供給される画素（ＲＧＢの各色のサブ画素より構成される）の集団が、本発明における「群（グループ）」に相当する。例えば、画素ｐ１と同様、観察点１１ｓ１に表示すべき画像データを表示する画素は、画素ｐ１と同一の群（グループ）に属することとなる。画素ｐ１と画素ｐ２とは、それぞれ互いに異なる画像データを表示するので、互いに異なる群（グループ）に属することとなる。
【００３４】
図１で述べたように、視差バリア９には、所定の間隔で複数のスリット９Ｓが形成されている。従って、本実施形態に係る画像表示装置１００では、複数のスリット９Ｓのそれぞれを通して、各画像データが表示された画素からの光が結集することにより、観察点１１ｓ１〜１１ｓ８に対しそれぞれ、表示すべき画像を表示することが可能となる。
【００３５】
ここで、互いに隣接する行にある単位表示領域がＸ方向に１サブ画素分ずつずらされて設定される理由について述べる。一般的な画像表示装置では、例えば、観察点１１ｓ１に対し表示すべき画像データが供給される画素を構成するＲＧＢ各色のサブ画素は、図２でいうと１列目のみに、即ち、図２におけるＹ方向に並んで配置される。この場合には、表示領域における当該画像データのＸ方向における解像度が、元の画像データの解像度と比較して、１／８に低下してしまう。これに対し、互いに隣接する行にある単位表示領域を互いにずらして設定した場合には、図２に示すように、観察点１１ｓ１に対し表示すべき画像データの画素を構成するＲＧＢ各色のサブ画素は、１列目から３列目にかけて斜めに配置されることとなる。従って、表示領域におけるＸ方向における当該画像データの解像度は、元の画像データの解像度と比較して、３／８の低下で抑えられることとなる。従って、本実施形態に係る画像表示装置では、互いに隣接する行にある単位表示領域を互いにずらして配置することにより、一般的な画像表示と比較して、解像度の劣化感を少なくすることができる。
【００３６】
次に液晶パネル２０の駆動回路の構成について述べる。図３は、画像表示装置１００における液晶パネル２０の駆動回路の構成を示す平面図である。図１に示した画像表示装置１００における液晶パネル２０は、図３に示す液晶パネル２０の平面図の切断線Ａ−Ａ´に沿った断面図である。
【００３７】
基板１の内面上には、複数の走査線２４、複数のデータ線２５がマトリクス状に配置されており、各走査線２４と各データ線２５の交点にはＴＦＴ素子（Ｔｈｉｎ  ｆｉｌｍ  Ｔｒａｎｓｉｓｔｏｒ）などのスイッチング素子２６が設けられている。表示領域３０内において、複数の走査線２４及び複数のデータ線２５により仕切られた各領域が１つのサブ画素ＳＧを構成している。サブ画素ＳＧ毎に画素電極５が設けられ、当該画素電極５はスイッチング素子２６と電気的に接続されている。
【００３８】
正確には、基板１は、Ｘ方向及びＹ方向に対し、基板２よりも外側に張り出してなる領域を有している。基板１のＸ方向に張り出してなる領域の内面上には、走査線駆動回路２１が配置され、基板１のＹ方向に張り出してなる領域の内面上には、データ線駆動回路２２が配置されている。
【００３９】
Ｓ１、Ｓ２、Ｓ３・・・、Ｓｎ（ｎ：自然数）で示す各データ線２５は、Ｙ方向に対し延在すると共に、Ｘ方向に対し一定の間隔で配置されている。各データ線２５の一端は、データ線駆動回路２２と電気的に接続されている。また、データ線駆動回路２２は、ＦＰＣ２３と配線３２を介して電気的に接続されている。ＦＰＣ２３は、外部の電子機器と電気的に接続されており、データ線駆動回路２２は、ＦＰＣ２３を介して、当該外部の電子機器の制御部４０からの制御信号を受信する。データ線駆動回路２２は、当該制御信号を基に、Ｓ１、Ｓ２、Ｓ３・・・、Ｓｎで示す各データ線２５に対し、データ信号を供給する。
【００４０】
Ｇ１、Ｇ２、Ｇ３・・・、Ｇｍ（ｍ：自然数）で示す各走査線２４は、Ｘ方向に対し延在すると共に、Ｙ方向に対し一定の間隔で配置されている。各走査線２４の一端は、走査線駆動回路２１と電気的に接続されている。また、走査線駆動回路２１は、配線３３と電気的に接続され、配線３３は、外部の電子機器と電気的に接続されている。走査線駆動回路２１は、配線３３を介して、当該外部の電子機器の制御部４０からの制御信号を受信する。走査線駆動回路２１は、当該制御信号を基に、Ｇ１、Ｇ２、Ｇ３・・・、Ｇｍで示す各走査線２４に対し、走査信号を順次供給する。
【００４１】
対向電極７は、ＣＯＭで示す配線３４を介して、データ線駆動回路２２と電気的に接続されている。データ線駆動回路２２は、外部の電子機器からの制御信号を基に、配線３４を介して駆動信号を供給することにより、対向電極７を駆動する。
【００４２】
走査線駆動回路２１は、制御部４０からの制御信号を基に、Ｇ１、Ｇ２、Ｇ３・・・、Ｇｍの順に走査線２４を順次排他的に選択すると共に、選択した走査線２４には、走査信号を供給する。そして、データ線駆動回路２２は、制御部４０からの制御信号を基に、選択された走査線２４に対応する位置に存在する画素電極５に対し、表示内容に応じたデータ信号を、各データ線２５を介して供給する。これにより、当該画素電極５に電位が印加され、当該画素電極５と対向電極７の間の液晶４の液晶分子の配向状態が、非表示状態または中間表示状態に切り替えられ、液晶パネル２０に所望の画像を表示することができる。即ち、制御部４０は、制御信号を走査線駆動回路２１、データ線駆動回路２２に供給することで、複数の走査線２４及び複数のデータ線２５に供給する走査信号及びデータ信号を制御することができ、所望の画像を液晶パネル２０に表示することができる。
【００４３】
図４は、画像表示装置１００の駆動回路の制御手段を示す模式図である。画像表示装置１００は、制御部４０の他に、入力部４１と、記憶部４２と、表示情報出力源４３と、を更に備える。
【００４４】
表示情報出力源４３は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等からなるメモリと、磁気記録ディスクや光記録ディスク等からなるストレージユニットと、デジタル画像信号を同調出力する同調回路とを備え、図示しないタイミングジェネレータによって生成された各種のクロック信号に基づいて、所定フォーマットの画像信号を、制御部４０に供給するように構成されている。
【００４５】
入力部４１は、表示変更要求がユーザにより入力される。表示変更要求としては、例えば、観察点数の変更や、平面表示と立体表示との間の変更といった要求が含まれる。入力部４１は、ユーザにより入力された表示変更要求に対応する検出信号を制御部４０に供給する。
【００４６】
制御部４０は、例えばＣＰＵ（Ｃｅｎｔｒａｌ  Ｐｒｏｃｅｓｓｉｎｇ  Ｕｎｉｔ）であり、表示画像出力源４３から供給される画像信号（画像データ）を基にして、制御信号を生成した後、液晶パネル２０に対し、即ち、液晶パネル２０における走査線駆動回路２１とデータ線駆動回路２２とに対し、生成した当該制御信号を供給する。また、制御部４０は、入力部４１より検出信号を受信した場合には、表示画像出力源４３からの画像信号を基に、ユーザからの表示変更要求に適合するように制御信号を生成して、液晶パネル２０における走査線駆動回路２１とデータ線駆動回路２２とに供給する。記憶部４２は、例えば、メモリであり、制御部４０と接続されている。制御部４０の上述の処理は、例えばプログラムなどにより行われる。従って、記憶部４２には、例えば、上述の処理を行うためのプログラムが格納されている。なお、上述の実施形態では、制御部４０は、外部の電子機器に備えられているとしているがこれに限られるものではなく、代わりに、例えばＦＰＣ２３や液晶パネル２０本体に備えられたＩＣチップなどにより実現されるとしても良いのはいうまでもない。
【００４７】
本実施形態に係る画像表示装置１００では、装置構成を変えることなく、表示態様を様々に変化させることが可能に構成されている。例えば、画像表示装置１００は、観察点数を変化させて、２画面表示、３画面表示といった表示を行うことも可能であり、更には立体表示を行うことも可能である。具体的には、制御部４０が、例えば観察点などのユーザからの表示変更要求に基づいて、複数の入力画像のそれぞれについて、群（グループ）の数、或いは各群（グループ）に含ませる画素の数を選択することにより、表示態様が様々に変更される。従って、制御部４０は、本発明における画像信号供給手段及び選択手段として機能する。以下に具体的に説明する。
【００４８】
［画像表示方法］
次に、画像表示装置１００の画像表示方法、具体的には、８画面表示方法、２画面表示方法、立体表示方法の各方法について説明する。
【００４９】
（８画面表示方法）
まず、８画面表示方法について説明する。
【００５０】
図５は、本実施形態に係る画像表示装置１００の模式図である。図５では、液晶パネル２０を簡略化して図示している。以下の説明では、液晶パネル２０を、このように簡略化して示すこととする。具体的には、図５に示す液晶パネル２０では、サブ画素ＳＧ単位毎に、表示される画像データが示されている。なお、画像データは、複数の画素の各々に表示される画素データから構成され、各画素データはＲＧＢ各色のサブ画素データ（即ち、赤（Ｒ）データ、緑（Ｇ）データ、青（Ｂ）データ）から構成される。
【００５１】
図５において、英字部Ｒ、Ｇ、Ｂはそれぞれ、ＲＧＢの各色サブ画素データを示し、数字部１〜８はそれぞれ８つの異なる画像データ１〜８を示している。例えば、画素データ「Ｒ１」は、画像データ１の赤色のサブ画素用の画素データを示し、画素データ「Ｇ２」は、画像データ２の緑色のサブ画素用の画素データを示し、画素データ「Ｂ３」は、画像データ３の青色のサブ画素用の画素データを示している。
【００５２】
先にも述べたように、液晶パネル２０のサブ画素ＳＧ１〜ＳＧ８より出射した光は、スリット９Ｓにより、それぞれ互いに異なる方向へ進む光として分離される。そのため、液晶パネル２０のサブ画素ＳＧ１〜ＳＧ８より出射した光はそれぞれ、観察点１１ｓ１〜１１ｓ８に到達することとなる。
【００５３】
図６は、画像表示装置１００における液晶パネル２０の平面図である。
【００５４】
画像表示方法として、制御部４０は、まず、画像データ１〜８のそれぞれより、ＲＧＢの各色のサブ画素より構成される画素に表示される画素データを取り出す。図６に示す例では、画像データ１より取り出された画素データＤ１はＲ１、Ｇ１、Ｂ１の各サブ画素データより構成されるものとし、画像データ２より取り出された画素データＤ２はＲ２、Ｇ２、Ｂ２の各サブ画素データより構成されるものとする。同様にして、図６に示すように、画像データ３〜８のそれぞれより取り出された画素データＤ３〜Ｄ８はＲＧＢの各サブ画素データより構成されるものとする。
【００５５】
次に、制御部４０は、液晶パネル２０における画素ｐ１〜ｐ８にそれぞれ、画像データ１〜８の各画素データＤ１〜Ｄ８を順番に配置する。具体的には、制御部４０は、液晶パネル２０において、同一のグループに属する画素には同一の画像データの画素データを、異なるグループに属する画素には互いに異なる画像データの画素データを供給する。以下に具体的に述べる。
【００５６】
まず、表示領域の１行目の画像作成方法について具体的に説明する。制御部４０は、表示領域の１行目の単位表示領域において、１列目のサブ画素に画像データ１のサブ画素データＲ１を配置し、２列目のサブ画素に画像データ２のサブ画素データＧ２を配置し、３列目のサブ画素に画像データ３のサブ画素データＢ３を配置する。以下同様にして、制御部４０は、１行目の単位表示領域において４列目のサブ画素から８列目のサブ画素まで、画像データ４〜８の各サブ画素データ（Ｒ４〜Ｇ８）をＲＧＢの順で配置する。制御部４０は、隣の単位表示領域である９列目以降のサブ画素についても同様にして、画像データ１〜８の各サブ画素データを配置する操作を繰り返す。このようにして、制御部４０は表示領域の１行目の画像を作成する。
【００５７】
次に、表示領域の２行目以降の画像を作成する方法について説明する。本実施形態に係る画像表示装置１００では、先にも述べたように、互いに隣接する行にある単位表示領域は１サブ画素分ずらされて設定されている。従って、制御部４０は、表示領域の２行目として、表示領域の１行目における画像データ１〜８のサブ画素データの位置よりも１サブ画素分ずらして、画像データ１〜８のサブ画素データを配置する。具体的には、制御部４０は、表示領域の２行目について、２列目のサブ画素に画像データ１のサブ画素データＧ１を配置し、３列目のサブ画素に画像データ２のサブ画素データＢ２を配置し、４列目のサブ画素に画像データ３のサブ画素データＲ３を配置する。以下同様にして、制御部４０は、５列目のサブ画素から９列目のサブ画素まで、画像データ４〜８の各サブ画素データ（Ｇ４〜Ｂ８）をＧＢＲの順で配置する。制御部４０は、１０列目以降のサブ画素についても同様にして、画像データ１〜８の各サブ画素データを配置する操作を繰り返す。このようにして、制御部４０は表示領域の２行目の画像を作成する。
【００５８】
さらに制御部４０は、３行目以降も同様にして、表示領域の２行目における画像データ１〜８の各サブ画素データの位置よりも１サブ画素分ずらして、３列目のサブ画素より画像データ１〜８のサブ画素データＢ１〜Ｒ８を配置する。このとき、表示領域の１行目から３行目までを見ると、図６に示すように、画素ｐ１〜ｐ８にそれぞれ、画素データＤ１〜Ｄ８が配置される。画素データＤ１〜Ｄ８は、互いに異なる画像データを構成する画素データであるので、この場合、画素ｐ１〜ｐ８は互いに異なるグループに属することとなる。
【００５９】
これにより、本実施形態に係る画像表示装置１００では、観察点１１ｓ１〜１１ｓ８に対し、スリット９Ｓを介して、それぞれに表示すべき画像データ１〜８の画素データＤ１〜Ｄ８を表示することが可能となる。そして、複数のスリット９Ｓのそれぞれを通して、各画像データ１〜８が表示された画素からの光が結集することにより、観察点１１ｓ１〜１１ｓ８に対しそれぞれ、互いに異なった画像データ１〜８を表示する８画面表示を行うことが可能となる。
【００６０】
（２画面表示方法）
次に、２画面表示方法について説明する。まず、左右均等に２画面表示を行う場合における画像表示方法について図７、８を用いて述べる。
【００６１】
図７は、左右均等に２画面表示を行う場合における画像表示装置１００の模式図である。図７に示す画像表示装置１００では、左右の観察位置に位置する観察点１１ｓ１、１１ｓ２に対しそれぞれ、左右均等に画像データ１、２を表示する。このような２画面表示を行う場合、制御部４０は、サブ画素ＳＧ１〜ＳＧ４に画像データ１のサブ画素データを配置し、サブ画素ＳＧ５〜ＳＧ８に画像データ２のサブ画素データを配置する。このようにする理由は、左右均等に表示を行う場合には、サブ画素ＳＧ１〜ＳＧ８から出射した光を均等に２分割して、サブ画素ＳＧ１〜ＳＧ４から出射した光を観察点１１ｓ１に到達させ、サブ画素ＳＧ５〜ＳＧ８から出射した光を観察点１１ｓ２に到達させることとなるためである。つまり、サブ画素ＳＧ１〜ＳＧ８を均等に分けて、サブ画素ＳＧ１〜ＳＧ４に画像データ１のサブ画素データを配置し、サブ画素ＳＧ５〜ＳＧ８に画像データ２のサブ画素データを配置することで、画像データ１、２のそれぞれの視野角を均等にすることができ、画像データ１の表示範囲の大きさと画像データ２の表示範囲の大きさとを等しくすることができる。
【００６２】
図８は、画像表示装置１００における液晶パネル２０の平面図である。
【００６３】
図８に示すように、２画面表示を行う場合、表示領域の１行目の単位表示領域に対応する領域では、Ｒ１、Ｇ１、Ｂ１、Ｒ１、Ｇ２、Ｂ２、Ｒ２、Ｇ２の順にサブ画素データが配置され、表示領域の２行目の単位表示領域に対応する領域では、Ｇ１、Ｂ１、Ｒ１、Ｇ１、Ｂ２、Ｒ２、Ｇ２、Ｂ２の順にサブ画素データが配置され、表示領域の３行目の単位表示領域に対応する領域では、Ｂ１、Ｒ１、Ｇ１、Ｂ１、Ｒ２、Ｇ２、Ｂ２、Ｒ２の順にサブ画素データが配置される。つまり、表示領域の１行目から３行目までで見ると、図８に示すように、画素ｐ１〜ｐ４に画素データＤ１が配置され、画素ｐ５〜ｐ８に画素データＤ２が配置される。従って、この場合、画素ｐ１〜ｐ４は互いに同じグループに属することとなり、画素ｐ５〜ｐ８は互いに同じグループに属することとなる。一方、画素ｐ１〜ｐ４と画素ｐ５〜ｐ８とでは、互いに異なるグループに属することとなる。
【００６４】
以上に述べたようにすることで、本実施形態に係る画像表示装置１００では、観察点１１ｓ１〜１１ｓ２に対し、スリット９Ｓを介して、それぞれに表示すべき画像データ１、２の画素データＤ１、Ｄ２を表示することが可能となる。そして、複数のスリット９Ｓのそれぞれを通して、各画像データ１〜２が表示された画素からの光が結集することにより、観察点１１ｓ１〜１１ｓ２に対しそれぞれ、互いに異なった画像データ１〜２を表示する２画面表示を行うことが可能となる。なお、ここで、８画面表示の場合（図６）と２画面表示（図８）の場合とを比較すると、８画面表示の場合よりも、２画面表示の場合の方が、各画像データ１及び２の表示範囲は大きくなることが分かる。つまり、所定の画像について、単位表示領域において表示されるサブ画素数が多くなればなるほど、当該所定の画像の表示範囲を拡張することができる。
【００６５】
制御部４０は、画像データ１〜８の８画面表示から画像データ１、２の左右均等の２画面表示に切り替える場合には、単位表示領域において、サブ画素ＳＧ１のみに配置されている画像データ１のサブ画素データを、サブ画素ＳＧ１〜ＳＧ４に配置する制御を行うともに、サブ画素ＳＧ２のみに配置されている画像データ２のサブ画素データを、サブ画素ＳＧ５〜ＳＧ８に配置する制御を行う。このようにすることで、８画面表示から２画面表示へと切り替えることができる。
【００６６】
なお、逆に、制御部４０は、２画面表示から８画面表示へと切り替える場合には、サブ画素ＳＧ１〜ＳＧ４に配置されている画像データ１のサブ画素データを、サブ画素ＳＧ１にのみ配置する制御を行うとともに、サブ画素ＳＧ５〜ＳＧ８に配置されている画像データ２のサブ画素データを、サブ画素ＳＧ２にのみ配置する制御を行う。また、制御部４０は、表示画像出力源４３からの画像信号を基に、画像データ３〜８の画素データを求め、画像データ３〜８のそれぞれの画素データを構成するサブ画素データを、サブ画素ＳＧ３〜ＳＧ８に配置する制御を行う。このように、複数の入力画像のそれぞれについて、単位表示領域における表示されるサブ画素数を変更することにより、２画面表示から８画面表示へと切り替えることができる。
【００６７】
次に、他の２画面表示方法の例として、左右不均等に２画面表示を行う場合について図９を用いて説明する。図９は、左右不均等に２画面表示を行う場合における画像表示装置１００の模式図である。
【００６８】
図９に示す画像表示装置１００では、異なる観察位置に位置する観察点１１ｓ１、１１ｓ２、１１ｓ３に対し、観察点１１ｓ１には画像データ１を表示し、観察点１１ｓ２、１１ｓ３には画像データ２を表示する。この場合、画像データ１の表示範囲よりも画像データ２の表示範囲を大きくする必要がある。言い換えると、画像データ１の視野角よりも画像データ２の視野角を大きくする必要がある。そこで、図９に示す例では、サブ画素ＳＧ１〜ＳＧ２より出射した光の到達範囲を画像データ１の表示範囲とし、サブ画素ＳＧ３〜ＳＧ８より出射した光の到達範囲を画像データ２の表示範囲としている。つまり、制御部４０は、サブ画素ＳＧ１、ＳＧ２に画像データ１のサブ画素データを配置し、サブ画素ＳＧ３〜ＳＧ８に画像データ２のサブ画素データを配置している。
【００６９】
図１０は、左右不均等な２画面表示を行う場合の画像表示装置１００における液晶パネル２０の平面図である。
【００７０】
図１０に示すように、左右不均等な２画面表示を行う場合、表示領域の１行目の単位表示領域に対応する領域では、Ｒ１、Ｇ１、Ｂ２、Ｒ２、Ｇ２、Ｂ２、Ｒ２、Ｇ２の順にサブ画素データが配置され、表示領域の２行目の単位表示領域に対応する領域では、Ｇ１、Ｂ１、Ｒ２、Ｇ２、Ｂ２、Ｒ２、Ｇ２、Ｂ２の順にサブ画素データが配置され、表示領域の３行目の単位表示領域に対応する領域では、Ｂ１、Ｒ１、Ｇ２、Ｂ２、Ｒ２、Ｇ２、Ｂ２、Ｒ２の順にサブ画素データが配置される。つまり、表示領域の１行目から３行目までで見ると、図１０に示すように、画素データＤ１が２つ、画素データＤ２が６つ、それぞれ並んで配置される。
【００７１】
これにより、画像データ１の視野角よりも画像データ２の視野角を大きくすることができ、観察点１１ｓ１には画像データ１を表示し、観察点１１ｓ２、１１ｓ３には画像データ２を表示することができる。
【００７２】
このことから分かるように、隣接する複数の単位表示領域において、画像データ１が表示される画素数よりも画像データ２が表示される画素数を多くすることにより、画像データ１の視野角よりも画像データ２の視野角を大きくすることができる。言い換えると、制御部４０は、入力された複数の画像について、隣接する複数の単位表示領域において表示される画素の個数を互いに異ならせることにより、当該複数の画像のそれぞれの視野角を互いに異ならせることができる。
【００７３】
（３画面表示方法）
次に、３画面表示を行う場合について図１１を用いて説明する。図１１は３画面表示を行う場合における画像表示装置１００の模式図である。
【００７４】
図１１に示す画像表示装置１００では、異なる観察位置に位置する観察点１１ｓ１、１１ｓ２、１１ｓ３に対し、観察点１１ｓ１には画像データ１を表示し、観察点１１ｓ２には画像データ２を表示し、観察点１１ｓ３には画像データ３を表示する。この場合、単位表示領域におけるサブ画素ＳＧ１〜ＳＧ８を３つのグループに分離し、３つの分離されたグループにそれぞれ、画像データ１、２、３のサブ画素データを配置すればよい。図１１に示す例では、制御部４０は、サブ画素ＳＧ１〜ＳＧ３に画像データ１のサブ画素データをそれぞれ配置し、サブ画素ＳＧ４、ＳＧ５に画像データ２のサブ画素データをそれぞれ配置し、サブ画素ＳＧ６〜ＳＧ８に画像データ３のサブ画素データを配置している。
【００７５】
図１２は、３画面表示を行う場合の画像表示装置１００における液晶パネル２０の平面図である。
【００７６】
図１２に示すように、３画面表示を行う場合、表示領域の１行目の単位表示領域に対応する領域では、Ｒ１、Ｇ１、Ｂ１、Ｒ２、Ｇ２、Ｂ３、Ｒ３、Ｇ３の順にサブ画素データが配置され、表示領域の２行目の単位表示領域に対応する領域では、Ｇ１、Ｂ１、Ｒ１、Ｇ２、Ｂ２、Ｒ３、Ｇ３、Ｂ３の順にサブ画素データが配置され、表示領域の３行目の単位表示領域に対応する領域では、Ｂ１、Ｒ１、Ｇ１、Ｂ２、Ｒ２、Ｇ３、Ｂ３、Ｒ３の順にサブ画素データが配置される。つまり、表示領域の１行目から３行目までで見ると、図１２に示すように、画素ｐ１〜ｐ３に画素データＤ１が配置され、画素ｐ４〜ｐ５に画素データＤ２が配置され、画素ｐ６〜ｐ８に画素データＤ３が配置される。従って、この場合、画素ｐ１〜ｐ３は互いに同じグループに属することとなり、画素ｐ４〜ｐ５は互いに同じグループに属することとなり、画素ｐ６〜ｐ８は互いに同じグループに属することとなる。
【００７７】
これにより、画像表示装置１００は、観察点１１ｓ１〜１１ｓ３に対し、スリット９Ｓを介して、それぞれに表示すべき画像データ１〜３の画素データＤ１〜Ｄ３を表示することが可能となる。そして、複数のスリット９Ｓのそれぞれを通して、各画像データ１〜３が表示された画素からの光が結集することにより、観察点１１ｓ１には画像データ１を表示し、観察点１１ｓ２には画像データ２を表示し、観察点１１ｓ３には画像データ３を表示することができる。つまり、画像表示装置１００は３画面表示を行うことができる。
【００７８】
以上に述べたことから分かるように、２画面表示〜８画面表示を行う場合には、単位表示領域におけるサブ画素ＳＧ１〜ＳＧ８を２〜８つのグループに分離し、それぞれ分離されたグループ毎に、互いに異なる画像データのサブ画素データを配置すればよい。言い換えると、制御部４０は、隣接する複数の単位表示領域において、各グループの数、或いは各グループに含ませる画素の数を選択すればよい。
【００７９】
（立体表示方法）
次に、立体表示を行う場合について図１３を用いて説明する。図１３は、異なる位置の観察点に対しそれぞれ立体表示を行う場合における画像表示装置１００の模式図である。
【００８０】
図１３に示す画像表示装置１００では、異なる観察位置に位置する観察点１１ｓ１、１１ｓ２に対し、観察点１１ｓ１には画像データ１を表示し、観察点１１ｓ２には画像データ２を表示する。ここで、画像データ１、２の各々は立体画像を構成する画像データであり、それぞれ、左目に表示される画像のサブ画素データ（左目用サブ画素データ）と右目に表示される画像のサブ画素データ（右目用サブ画素データ）とより構成される。図１０に示す液晶パネル２０では、「ａ」は左目に表示される右目用サブ画素データを示し、「ｂ」は右目に表示される左目用サブ画素データを示している。例えば、Ｒ１ａは、画像データ１の左目用サブ画素データを示している。
【００８１】
観察点１１ｓ１に立体画像たる画像データ１を表示し、観察点１１ｓ２に立体画像たる画像データ２を表示する場合には、制御部４０は、単位表示領域におけるサブ画素ＳＧ１〜ＳＧ８を４つのグループに分離し、分離された夫々のグループに、各画像の右目用サブ画素データと左目用サブ画素データとを交互に配置する。例えば、図１３に示す例では、制御部４０は、単位表示領域において、サブ画素ＳＧ１、ＳＧ２に、画像データ１の左目用サブ画素データＲ１ａ、Ｇ１ａを配置し、サブ画素ＳＧ３、ＳＧ４に、画像データ１の右目用サブ画素データＢ１ｂ、Ｒ１ｂを配置している。また、制御部４０は、サブ画素ＳＧ５、ＳＧ６に、画像データ２の左目用サブ画素データＧ２ａ、Ｂ２ａを配置し、サブ画素ＳＧ７、ＳＧ８に、画像データ２の右目用サブ画素データＲ２ｂ、Ｇ２ｂを配置している。ここで、観察点１１ｓ１の位置は、サブ画素ＳＧ１、ＳＧ２からの光が観察者の左目に入射する位置となっており、サブ画素ＳＧ３、ＳＧ４からの光が観察者の右目に入射する位置となっている。また、観察点１１ｓ２の位置は、サブ画素ＳＧ５、ＳＧ６からの光が観察者の左目に入射する位置となっており、サブ画素ＳＧ７、ＳＧ８からの光が観察者の右目に入射する位置となっている。
【００８２】
図１４は、立体表示を行う場合の画像表示装置１００における液晶パネル２０の平面図である。
【００８３】
図１４に示すように、立体表示を行う場合、表示領域の１行目の単位表示領域に対応する領域では、Ｒ１ａ、Ｇ１ａ、Ｂ１ｂ、Ｒ１ｂ、Ｇ２ａ、Ｂ２ａ、Ｒ２ｂ、Ｇ２ｂの順にサブ画素データが配置され、表示領域の２行目の単位表示領域に対応する領域では、Ｇ１ａ、Ｂ１ａ、Ｒ１ｂ、Ｇ１ｂ、Ｂ２ａ、Ｒ２ａ、Ｇ２ｂ、Ｂ２ｂの順にサブ画素データが配置され、表示領域の３行目の単位表示領域に対応する領域では、Ｂ１ａ、Ｒ１ａ、Ｇ１ｂ、Ｂ１ｂ、Ｒ２ａ、Ｇ２ａ、Ｂ２ｂ、Ｒ２ｂの順にサブ画素データが配置される。従って、表示領域の１行目から３行目までで見ると、図１４に示すように、画素ｐ１、ｐ２は、どちらも画像データ１の左目用の画素であるので、互いに同じグループに属することとなり、画素ｐ３、ｐ４は、どちらも画像データ１の右目用の画素であるので、互いに同じグループに属することとなる。また、画素ｐ５、ｐ６は、どちらも画像データ２の左目用の画素であるので、互いに同じグループに属することとなり、画素ｐ７、ｐ８は、どちらも画像データ２の右目用の画素であるので、互いに同じグループに属することとなる。
【００８４】
これにより、観察点１１ｓ１において、観察者の左目は、スリット９Ｓを介して、画像データ１の左目用の画素データを見ることができ、観察者の右目は、スリット９Ｓを介して、画像データ１の右目用の画素データを見ることができるので、複数のスリット９Ｓのそれぞれを通して、画像データ１の左目用及び右目用の画像が表示された画素からの光がそれぞれ結集することにより、観察点１１ｓ１では、画像データ１は立体画像として認識される。また、観察点１１ｓ２では、観察者の左目は、スリット９Ｓを介して、画像データ２の左目用の画素データを見ることができ、観察者の右目は、スリット９Ｓを介して、画像データ２の右目用サブ画素データを見ることができるので、複数のスリット９Ｓのそれぞれを通して、画像データ２の左目用及び右目用の画像が表示された画素からの光がそれぞれ結集することにより、観察点１１ｓ２では、画像データ２は立体画像として認識される。
【００８５】
つまり、隣接する複数の単位表示領域における複数の画素に対し、左目用の画素と右目用の画素とをグループ毎に交互に配置することにより、観察点において、立体画像を表示することができる。
【００８６】
以上に述べたことから分かるように、本実施形態に係る画像表示装置１００によれば、制御部４０が表示領域内の各画素に表示する画素データを制御することにより、画像表示の観察点（視点）数や、複数画面表示と立体表示との間の切り替えといった表示態様の変更を、装置自体の構成を変えることなく行うことが可能である。つまり、本実施形態に係る画像表示装置１００によれば、画像表示装置の構成自体に変更を加えることなく、各表示画像の視野角を精度良く変更することができる。なお、上述した本実施形態に係る画像表示装置１００は、単位表示領域におけるサブ画素数、即ち最大視点数を８個としているが、単位表示領域におけるサブ画素数としては、これに限られない。単位表示領域におけるサブ画素数が複数個ある画像表示装置であれば、本発明を適用可能であるのは言うまでもない。
【００８７】
［変形例］
次に、本実施形態に係る画像表示装置１００の変形例について説明する。図１５は、変形例に係る画像表示装置１００ａを示す模式図である。
【００８８】
上述の実施形態に係る画像表示装置１００では、液晶パネル２０のサブ画素ＳＧ１〜ＳＧ８より出射した光を、それぞれ互いに異なる方向へ進む光として分離する光分離素子として視差バリア９を用いている。しかしながら、本発明を適用可能な画像表示装置としては、これに限られるものではない。図１５に示す画像表示装置１００ａでは、光分離素子として、視差バリア９の代わりに、ライン状に形成された複数のレンズパターン９０Ｌを有するレンチキュラレンズ９０を用いることとしている。レンズパターン９０Ｌは、図１５に示すように、その断面形状が例えば半円筒形状となるように、かつ、その幅が単位表示領域の大きさと略同じ大きさとなるように、レンチキュラレンズ９０に形成されている。また、レンチキュラレンズ９０は、液晶パネル２０に対し、レンズパターン９０Ｌの厚さが最大となる位置が単位表示領域の中央、即ちサブ画素ＳＧ４とサブ画素ＳＧ５との間に位置するように設置される。また、レンチキュラレンズ９０は、各サブ画素ＳＧ１〜ＳＧ８に表示された画素データが、対応する観察点にて合焦するように構成される。即ち、レンチキュラレンズ９０は、各観察点１１ｓ１〜１１ｓ８との間の距離が当該方向における焦点距離となるような形状を有する。
【００８９】
これにより、サブ画素ＳＧ１〜ＳＧ８より出射した光はそれぞれ、レンズパターン９０Ｌにおいて屈折されることにより、焦点位置たる観察点１１ｓ１〜１１ｓ８に到達する。レンチキュラレンズ９０には、複数のレンズパターン９０Ｌが形成されているので、複数のレンズパターン９０Ｌのそれぞれを通して、各画像データが表示された画素からの光が結集することにより、観察点１１ｓ１〜１１ｓ８に対しそれぞれ、表示すべき画像が表示される。
【００９０】
なお、図１５に示す装置構成は、８画面表示、２画面表示、３画面表示といった多画面表示や立体表示のいずれの場合においても、同じ構成となる。つまり、レンチキュラレンズ９０を用いた変形例に係る画像表示装置１００ａであっても、視差バリア９を用いた画像表示装置１００と同様、装置構成を変えることなく、表示態様を様々に変化させることが可能である。即ち、この変形例に係る画像表示装置１００ａを用いた場合であっても、上述した実施形態と同様の効果を得ることができる。
【００９１】
図１６にレンズパターン９０Ｌの模式図を示す。図１６に示すように、画像表示装置１００ａにおいても、先に述べた視差バリアのスリットと同様、レンズパターン９０Ｌの延在方向は、Ｙ方向、つまり単位表示領域を構成する複数のサブ画素の配列方向に対し、サブ画素ＳＧ４、ＳＧ５のずれの分（単位表示領域のずれの分）だけ、即ち１サブ画素分だけＸ方向に傾斜するようにレンチキュラレンズ９０に形成されている。このように、レンチキュラレンズ９０を用いることにより、視差バリアを用いた場合と比較して、光を遮光せずに済むので、表示画像の輝度を高めることができる。
【００９２】
[電子機器]
次に、上述した各実施形態に係る画像表示装置１００、１００ａを適用可能な電子機器の具体例について図１７を参照して説明する。
【００９３】
まず、各実施形態に係る画像表示装置１００、１００ａを、可搬型のパーソナルコンピュータ（いわゆるノート型パソコン）の表示部に適用した例について説明する。図１７は、このパーソナルコンピュータの構成を示す斜視図である。同図に示すように、パーソナルコンピュータ７１０は、キーボード７１１を備えた本体部７１２と、本発明に係る液晶装置１００等を適用した表示部７１３とを備えている。
【００９４】
また、各実施形態に係る画像表示装置１００、１００ａは、液晶テレビや、カーナビゲーション装置の表示部に適用されるのが特に好適である。例えば、カーナビゲーション装置の表示部に本実施形態に係る画像表示装置１００、１００ａを用いることにより、運転席にいる観察者に対しては、地図の画像を表示し、助手席にいる観察者に対しては、映画などの映像を表示することができる。
【００９５】
なお、各実施形態に係る画像表示装置１００、１００ａを適用可能な電子機器としては、上述したものの他にも、ビューファインダ型・モニタ直視型のビデオテープレコーダ、ページャ、電子手帳、電卓、携帯電話、ワードプロセッサ、ワークステーション、テレビ電話、ＰＯＳ端末、ディジタルスチルカメラなどが挙げられる。
【図面の簡単な説明】
【００９６】
【図１】本実施形態に係る画像表示装置の断面図である。
【図２】本実施形態に係る画像表示装置における液晶パネルの平面図である。
【図３】本実施形態に係る画像表示装置における液晶パネルの平面図である。
【図４】本実施形態に係る画像表示装置の駆動回路の一部を示す回路図である。
【図５】８画面表示を行う場合の画像表示装置の模式図である。
【図６】８画面表示を行う場合における液晶パネルの平面図である。
【図７】左右均等の２画面表示を行う場合の画像表示装置の模式図である。
【図８】左右均等の２画面表示を行う場合における液晶パネルの平面図である。
【図９】左右不均等の２画面表示を行う場合の画像表示装置の模式図である。
【図１０】左右不均等の２画面表示を行う場合における液晶パネルの平面図である。
【図１１】３画面表示を行う場合の画像表示装置の模式図である。
【図１２】３画面表示を行う場合における液晶パネルの平面図である。
【図１３】立体表示を行う場合の画像表示装置の模式図である。
【図１４】立体表示を行う場合における液晶パネルの平面図である。
【図１５】変形例に係る画像表示装置の模式図である。
【図１６】変形例に係る画像表示装置の模式図である。
【図１７】本発明の画像表示装置を適用した電子機器の例である。
【符号の説明】
【００９７】
５  画素電極、  ７  対向電極、  ９  視差バリア、  １０  照明装置、  １１ｓ１〜１１ｓ８  観察者、  ２０  液晶パネル、  ４０  制御部、  １００  画像表示装置
【図１】
2010020178.tif 000003
【図２】
2010020178.tif 000004
【図３】
2010020178.tif 000005
【図４】
2010020178.tif 000006
【図５】
2010020178.tif 000007
【図６】
2010020178.tif 000008
【図７】
2010020178.tif 000009
【図８】
2010020178.tif 000010
【図９】
2010020178.tif 000011
【図１０】
2010020178.tif 000012
【図１１】
2010020178.tif 000013
【図１２】
2010020178.tif 000014
【図１３】
2010020178.tif 000015
【図１４】
2010020178.tif 000016
【図１５】
2010020178.tif 000017
【図１６】
2010020178.tif 000018
【図１７】
2010020178.tif 000019